(57)【要約】【課題】血管造影検査等の局部麻酔にて行なわれる長時間に亘る検査や手術に際し、患者の姿勢制約を軽減し、患者が動いた場合においても、検査器具や手術器具の落下のトラブル発生のおそれがない検査台配置用患者支持ケースを提供することを課題とする。【解決手段】上方に開くコ字形状の受け部１と下方に開くコ字形状の蓋部４から成り、前記蓋部４は前記受け部１に組み付けられて、全体的には対向する二側面が開口された人体を挿入し得る大きさの箱形状を呈し、前記受け部１の一方の側壁の外側面に器具置きプレート１８を設置して成る。【選択図】図３
0003110767.tif 000002
【実用新案登録請求の範囲】
【請求項１】
上方に開くコ字形状の受け部と下方に開くコ字形状の蓋部から成り、前記蓋部は前記受け部に組み付けられて、全体的には対向する二側面が開口された人体を挿入し得る大きさの箱形状を呈して成る検査台配置用患者支持ケース。
【請求項２】
前記受け部の一方の側壁の外側面にスライドプレートを脱着可能に備えて成る請求項１に記載の検査台配置用患者支持ケース。
【請求項３】
前記蓋部の両側板は、前記受け部の両側壁内に差込んでそこに支持させることにより、前記蓋部を前記受け部に対し上下動可能且つ所望位置に停止可能にした請求項１又は２に記載の検査台配置用患者支持ケース。
【請求項４】
前記蓋部の両側板の前記受け部の側壁内への差込み位置は、前記受け部の両側壁内に水平方向に抜き差し可能にした棒材の抜き差しによって調整可能にした請求項３に記載の検査台配置用患者支持ケース。
【請求項５】
前記蓋部の上面は、水平方向にスライドさせることによって抜き差し可能にした請求項1乃至４のいずれかに記載の検査台配置用患者支持ケース。
【請求項６】
少なくとも前記蓋部の上面は透視可能である請求項１乃至５のいずれかに記載の検査台配置用患者支持ケース。
【考案の詳細な説明】
【技術分野】
【０００１】
本考案は、検査台配置用患者支持ケース、より詳細には、主に血管造影検査や血管形成術等のような、局部麻酔にて行なう検査・手術に際して検査台上に配置し、患者の姿勢制約を軽減すると共に、検査器具、手術器具等の散乱、落下等を防止してスムーズな施術を可能にする検査台配置用患者支持ケースに関するものである。
【背景技術】
【０００２】
血管造影とは、Ｘ線では写らない血管を血管内にＸ線不透過物質である造影剤（ヨードなど）を注入し、造影することをいい、血管の走行・形態・閉塞の検査および治療に役立つ。その手技は、今日ほとんどが、セルジンガー法と呼ばれているガイドワイヤーを血管内に挿入し、これを軸としてカテーテルを血管内に挿入する方法が行なわれている。
【０００３】
従来、血管造影検査や血管形成術等を行う場合、患者は検査台上に仰向けに寝て、検査・手術中は動くことが許されなかった。上記の検査及び治療は局部麻酔にて行われるため、患者の意識は通常と変わらず、その状態でじっとしたまま長時間（３時間を越えるケースも少なくない）に亘る検査及び治療を受けることは、患者にとって大きな苦痛となる。そして、苦痛に耐えられずに患者が動いた場合には、検査台上に置かれている手術器具が落下したり散乱したりし、また、カテーテルが乱れたりするトラブルが起こる。
【考案の開示】
【考案が解決しようとする課題】
【０００４】
上記血管造影検査等に際しては、患者に長時間に亘る静止姿勢の保持が強制されるため、それに伴なう患者の苦痛が大きく、また、患者が動いた場合に手術器具落下等のトラブルが発生するにも拘らず、従来は、これらの問題に対処するための有効な措置が何ら講じられていなかった。
【０００５】
そこで本考案は、血管造影検査等の局部麻酔にて行なわれる長時間に亘る検査や手術に際し、患者の姿勢制約を軽減し、患者が動いた場合においても、検査器具や手術器具の落下のトラブル発生のおそれがない検査台配置用患者支持ケースを提供することを課題とする。
【課題を解決するための手段】
【０００６】
上記課題を解決するための請求項１に記載の考案は、上方に開くコ字形状の受け部と下方に開くコ字形状の蓋部から成り、前記蓋部は前記受け部に組み付けられて、全体的には対向する二側面が開口された人体を挿入し得る大きさの箱形状を呈して成り、通例、前記受け部の一方の側壁の外側面にスライドプレートが脱着可能に設置される。
【０００７】
好ましくは、前記蓋部の両側板は、前記受け部の両側壁内に差込んでそこに支持させることにより、前記蓋部を前記受け部に対し上下動可能且つ所望位置に停止可能にし、前記蓋部の両側板の前記受け部の側壁内への差込み位置は、前記受け部の両側壁内に水平方向に抜き差し可能にした棒材の抜き差しによって調整可能にする。
【０００８】
また、前記蓋部の上面は、水平方向にスライドさせることによって抜き差し可能にし、少なくとも前記蓋部の上面は透視可能にする。
【考案の効果】
【０００９】
本考案に係る検査台配置用患者支持ケースは上記構成であって、検査・手術中患者はその胴体部が支持ケース内に収まるため、多少動いたとしても、その動きは、蓋部又はスライドプレート上に置かれる検査器具等に直接伝わらないので、検査器具等が落下したりするトラブルは発生しない。従って、患者は姿勢制約の苦痛から解放されることになる。
【考案を実施するための最良の形態】
【００１０】
本考案を実施するための最良の形態について、添付図面に依拠して説明する。本考案に係る検査台配置用患者支持ケースは、上方に開くコ字形状の受け部１と下方に開くコ字形状の蓋部４から成り、蓋部４は受け部１に組み付けられて、全体的には対向する二側面が開口された箱形状を呈するように形成される。通例、受け部１の一方の側壁３の外側面に、スライドプレート１８が、脱着可能に設置される。
【００１１】
受け部１の両側壁２、３は、蓋部４の側板５、６を差し込み可能な間隙８を保持した二重壁とされる。また、両側壁２、３の両端面９の上部に調整板挿入孔１０が形成され、その下端部に調整板押抜き孔１１が形成される。
【００１２】
蓋部４は、その両側板５、６をそれぞれ上方から受け部１の側壁２、３の間隙８内に差し込むことにより受け部１に組み付けられ、蓋部４と受け部１とによって、対向する二側面が開口された箱形状の支持ケースが形成される。支持ケースの大きさは、その中に人体を通すのに十分なサイズとされる。
【００１３】
支持ケースの高さ、即ち、受け部１の側壁２、３の高さにそこから上方にはみ出している側板５、６の高さを加えた寸法は、調整可能である。図示した例では、調整板挿入孔１０から物差しの如き長尺板材である調整板１２を挿入して間隙８内に落とし込み、間隙８内に差し込んだ側板５、６をその上に受けさせる。従って、挿入する調整板１２の数によって、支持ケースの高さを変えることができることになる。そして、より高くする場合には、蓋部４を持ち上げて、調整板１２を追加挿入すればよいし、より低くする場合には、調整板押抜き孔１１から、最下段に位置する調整板１２を必要数押し抜いていけばよい（図１における矢印参照）。
【００１４】
なお、言うまでもないところであるが、調整板挿入口１０と調整板押抜き孔１１の大きさは、それぞれ調整板１２の端面よりも少し大きく形成される。
【００１５】
支持ケースの高さ調整は上記方法に限らず、例えば、蓋部４の両側板５、６を、受け部
１の両側壁にネジ付けたボルトで受けることとし、該ボルトのネジ付け位置を上下方向に変更可能にする等の方法であってもよい。
【００１６】
好ましくは、患者の状況を透視できるように、少なくとも蓋部４の上面１３は透視可能にし、また、上面１３は側板５、６に対して脱着可能にし、あるいは、ヒンジ止めして、その部分を開口できるようにする。図示した例では、側板５、６の上端部に係合溝１４が形成されると共に、上面１３の端縁に、下方に折曲されて係合溝１４に係止される係止部１５が形成される。かくして上面１３は、水平にスライドさせることにより、側板５、６から抜き取ることが可能になり、また、係止部１５を係合溝１４に係止させて押し込むことにより、元の閉じた状態に戻すことができる（図１参照）。
【００１７】
更に好ましくは、受け部１の一方の側壁６の外側面中間部に、断面Ｌ字形のフック１６がその長さ方向に延びるように形成される。そして、このフック１６に、一側辺に、このフック１６に上方から係わり合う係合溝１７を有するスライドプレート１８が係着される。通例スライドプレート１８は、側方からその係合溝１７にフック１６を係合させることによりフック１６に取り付け、フック１６に対してスライド可能にして最適位置に配置できるようにする。１９は、側壁３のフック１６の上方に設置した抜止め板で、スライドプレート１８がフック１６から外れることを防止するためのものである。
【００１８】
上記構成の本考案に係る患者支持ケースを使用するに当っては、蓋部４を外した、あるいは、上面１３を開口した状態の蓋部４を取り付けた受け部１を、検査台２０上の患者の腰から上半部対応部分に載置する。そして、必要に応じて受け部１の水平面上にマット等を敷き、その上に患者を寝かせた後、蓋部４を、その側板５、６を受け部１の側壁２、３に差込むことにより（あるいは、上面１３を閉じることにより）セットする。その際、調整板１２の抜き挿し操作により、支持ケースの高さを患者に合わせることが容易である。検査器具や手術器具等は、全体にカバー２１を掛けた後、カバー２１の上から適宜上面１３上又はスライドプレート１８上に配置する。
【００１９】
かくして、検査、手術等を行なうが、検査器具等は、患者から隔離された上面１３上又はスライドプレート１８上にあるので、患者が多少動いたとしても、患者の動きは直接検査器具等に伝わらないため、検査器具等が落下したり、散乱したりすることはない。
【００２０】
なお、スライドプレート１８は、特に穿刺部位が手首又は肘の場合の器具置きに利用され、また、術者の手元固定等にも利用される。勿論、スライドプレート１８は、邪魔となる場合には、引き抜いておけばよい。
【００２１】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００２２】
【図１】本考案に係る検査台配置用患者支持ケースの構成を示す斜視図である。
【図２】本考案に係る検査台配置用患者支持ケースの要部の部分破断図である。
【図３】本考案に係る検査台配置用患者支持ケースの使用状態を示す斜視図である。
【符号の説明】
【００２３】
１    受け部
２    側壁
３    側壁
４    蓋部
５    側板
６    側板
８    間隙
９    端面
１０    調整板挿入孔
１１    押抜き孔
１２    調整板
１３    上面
１４    係合溝
１５    係止部
１６    フック
１７    係合溝
１８    器具置きプレート
１９    抜止め板
２０    検査台
２１    カバー
【図１】
0003110767.tif 000003
【図２】
0003110767.tif 000004
【図３】
0003110767.tif 000005